(57)【特許請求の範囲】
【請求項１】
所定の隙間を置いて設けられた複数の磁気ディスクと、
上記磁気ディスクを支持および回転駆動する駆動手段と、
上記磁気ディスクに対して情報の記録再生を行う複数の磁気ヘッドと、回転自在に支持されているとともに上記磁気ヘッドをそれぞれ支持した複数のサスペンションと、を有し、上記磁気ヘッドを上記磁気ディスクに対して移動自在に支持したヘッドアクチュエータと、
上記磁気ヘッドが上記磁気ディスクの外周部に移動した際、上記磁気ヘッドを磁気ディスクから離間した位置に保持するランプロード機構と、を備え、
上記ランプロード機構は、上記磁気ディスクの外周部に設けられているとともに、磁気ディスクの軸方向に間隔を置いて設けられた複数のガイドを有したランプと、
上記サスペンション先端に設けられ、上記磁気ヘッドが磁気ディスクの外周部に移動した際、上記ランプのガイドと係合し上記磁気ヘッドを引き上げる係合部材と、を備え、
上記ランプは、対向する第１および第２磁気ディスク間に配置された２つの上記サスペンションの内、上記第１磁気ディスク側に位置したサスペンションの先端から延出した第１係合部材が係合する第１ガイドと、上記第２磁気ディスク側に位置したサスペンションの先端から延出した第２係合部材が係合する第２ガイドと、を有し、
上記第１ガイドは上記第２ガイドよりも上記第２磁気ディスクに隣接し、上記第２ガイドは上記第１ガイドよりも上記第１磁気ディスクに隣接して設けられ、
上記第１係合部材および第２係合部材は、上記サスペンションの中心軸線上に位置しているとともに上記第１および第２ガイドに係合する第１および第２当接部をそれぞれ備えていることを特徴とする磁気ディスク装置。
【請求項２】
上記第１係合部材は、上記サスペンションの中心軸線に対して離間した位置から上記第２磁気ディスクに向かって斜めに延出し、上記第１当接部は、上記第１係合部材の延出端に設けられ上記第２磁気ディスクの表面とほぼ平行に対向し、
上記第２係合部材は、上記サスペンションの中心軸線に対して離間した位置から上記第１磁気ディスクに向かって斜めに延出し、上記第２当接部は、上記第２係合部材の延出端に設けられ上記第１磁気ディスクの表面とほぼ平行に対向していることを特徴とする請求項１に記載の磁気ディスク装置。
【請求項３】
上記第１および第２ガイドは、上記磁気ヘッドを上記第１および第２磁気ディスクの表面に対して引き上げる方向にガイドする傾斜面をそれぞれ備えていることを特徴とする請求項１に記載の磁気ディスク装置。
【請求項４】
上記ランプは、上記複数のガイドを互いに連結したベース部を備え、
上記ベース部は、それぞれ上記第１および第２磁気ディスクの外周縁部に対向した複数の突出部を有し、上記突出部は、上記ガイドよりも上記第１および第２磁気ディスクの外周縁部に隣接して位置していることを特徴とする請求項１に記載の磁気ディスク装置。
【発明の詳細な説明】
【０００１】
【発明の属する技術分野】
この発明は、磁気ディスク装置に関し、特に、ランプロード機構を備えた磁気ディスク装置に関する。
【０００２】
【従来の技術】
近年、パーソナルコンピュータ等の電子機器においては、大容量のメモリ装置として磁気ディスク装置が広く用いられている。一般に、磁気ディスク装置は、ケース内に配設された磁気ディスクと、磁気ディスクを支持および回転駆動するスピンドルモータと、磁気ヘッドを支持したヘッドアクチュエータと、ヘッドアクチュエータを駆動するボイスコイルモータと、基板ユニット等とを備えて構成されている。
【０００３】
ヘッドアクチュエータは、ケースに取り付けられた軸受部と、軸受部から延出した複数のアームと、各アームから延出したサスペンションと、を備え、磁気ヘッドはサスペンションの延出端に取り付けられている。
【０００４】
このような磁気ディスク装置では、装置の非作動時に磁気ヘッドを所定位置に保持する方式として、磁気ディスクの内周縁部上に磁気ヘッドを保持するいわゆるＣＳＳ（コンタクト・スタート・ストップ）方式と、磁気ディスクの外周側に設けられたランプにより磁気ヘッドを磁気ディスク表面から離間した状態に保持するランプロード方式とが知られている。
【０００５】
また、近年、携帯可能な小型のパーソナルコンピュータが普及しつつあり、この種のパーソナルコンピュータに搭載される磁気ディスク装置は、携帯時における衝撃等に対する信頼性の向上が求められている。そのため、このような磁気ディスク装置では、より確実に磁気ヘッドを保持可能なランプロード方式の適用が進められている。
【０００６】
一般に、このランプロード機構は、サスペンションの先端から延出したタブと、磁気ディスクの外周側に設けられたランプを備え、磁気ディスク装置の非作動時、キャリッジアッセンブリは磁気ディスクの外周に回動され、サスペンションのタブがランプに乗り上げる。それにより、磁気ヘッドは、磁気ディスク表面から離間した位置に保持され、衝撃を受けた際に磁気ディスクとの衝突が防止される。
【０００７】
【発明が解決しようとする課題】
一般に、ランプロード機構のランプは、その一部が磁気ディスクの表面外周部とオーバーラップして設けられている。そのため、隣合う２枚の磁気ディスク間に位置したランプは、同じく、隣合う２枚の磁気ディスク間に位置した上側および下側の２つの磁気ヘッドをそれぞれガイドする上側ガイド面および下側ガイド面を有している。これらの上側ガイド面および下側ガイド面は所定の間隔を置いて互いに対面した状態で、磁気ディスク間に位置している。
【０００８】
そして、磁気ヘッドをランプ上の退避位置にアンロードするためには、ランプの各ガイド面の先端をサスペンションのタブよりも磁気ディスク面側に隣接して配置する必要がある。そのため、ランプの各先端部と磁気ディスク表面との隙間は非常に狭くなっている。
【０００９】
このため、磁気ディスク装置の組立時、磁気ディスクとランプとが接触してしまい、磁気ディスク面を損傷してしまうとともに、組立後の外部衝撃作用時に磁気ディスクとランプとが接触したりする危険性が高くなる。これは、磁気ディスク装置内に実装される磁気ディスクの枚数が増加する程、顕著となる。
【００１０】
このため、ランプと磁気ディスク表面との距離はできるだけ離すことが望ましいが、高密度実装化が進むにつれて磁気ヘッドの厚みが薄くなり、あるいは、磁気ディスク間の距離も小さくなりつつあり、磁気ディスク表面とランプとの距離はますます減少しつつある。また、組立時の損傷防止や衝撃に対する信頼性向上の要望は高くなる一方であり、根本的な対策が望まれている。
【００１１】
この発明は以上の点に鑑みなされたもので、その目的は、高密度実装性を損なうことなく、ランプと磁気ディスク表面との隙間を広げ、組立時および衝撃作用時におけるランプと磁気ディスクとの接触を防止し、信頼性の向上した磁気ディスク装置を提供することにある。
【００１２】
【課題を解決するための手段】
上記目的を達成するため、この発明に係るランプロード機構は、所定の隙間を置いて設けられた複数の磁気ディスクと、上記磁気ディスクを支持および回転駆動する駆動手段と、上記磁気ディスクに対して情報の記録再生を行う複数の磁気ヘッドと、回転自在に支持されているとともに上記磁気ヘッドをそれぞれ支持した複数のサスペンションと、を有し、上記磁気ヘッドを上記磁気ディスクに対して移動自在に支持したヘッドアクチュエータと、上記磁気ヘッドが上記磁気ディスクの外周部に移動した際、上記磁気ヘッドを磁気ディスクから離間した位置に保持するランプロード機構と、を備え、
上記ランプロード機構は、上記磁気ディスクの外周部に設けられているとともに、磁気ディスクの軸方向に間隔を置いて設けられた複数のガイドを有したランプと、上記サスペンション先端に設けられ、上記磁気ヘッドが磁気ディスクの外周部に移動した際、上記ランプのガイドと係合し上記磁気ヘッドを引き上げる係合部材と、を備えている。
【００１３】
上記ランプは、対向する第１および第２磁気ディスク間に配置された２つの上記サスペンションの内、上記第１磁気ディスク側に位置したサスペンションの先端から延出した第１係合部材が係合する第１ガイドと、上記第２磁気ディスク側に位置したサスペンションの先端から延出した第２係合部材が係合する第２ガイドと、を有し、
上記第１ガイドは上記第２ガイドよりも上記第２磁気ディスクに隣接し、上記第２ガイドは上記第１ガイドよりも上記第１磁気ディスクに隣接して設けられ、
上記第１係合部材および第２係合部材は、上記サスペンションの中心軸線上に位置しているとともに上記第１および第２ガイドに当接する第１および第２当接部をそれぞれ備えていることを特徴としている。
【００１４】
上記のように構成された磁気ディスク装置によれば、ランプロード機構において、複数の係合部材の内、隣合う第１および第２磁気ディスク間に位置した２つサスペンションに設けられた第１および第２係合部材は、上下関係が入替わるように形成され、これに合わせて、ランプの第１および第２ガイドも上下を入替えて配置されている。これにより、第１および第２係合部材の第１および第２当接部は、磁気ディスク表面とランプとの隙間を通過することになり、第１および第２ガイドの間隔を低減することができる。その結果、ランプのガイドと磁気ディスク表面との間隔を大きくとることが可能となる。従って、磁気ディスクの実装枚数を増大させた場合でも、ランプと磁気ディスク表面との隙間を充分に確保し、組立時および衝撃作用時におけるランプと磁気ディスクとの接触を防止し、信頼性の向上を図ることができる。
【００２０】
【発明の実施の形態】
以下、図面を参照しながら、この発明を情報記録再生装置としてのハードディスクドライブ（以下ＨＤＤと称する）に適用した実施の形態について詳細に説明する。
【００２１】
図１に示すように、ＨＤＤは、上面の開口した矩形箱状のケース１２と、複数のねじによりケースにねじ止めされケースの上端開口を閉塞する図示しないトップカバーと、を有している。
【００２２】
ケース１２内には、磁気記録媒体としての２枚の磁気ディスク１６ａ、１６ｂ、この磁気ディスクを支持および回転させる駆動手段としてのスピンドルモータ１８、磁気ディスクに対して情報の書き込み、読み出しを行なう複数の磁気ヘッド、これらの磁気ヘッドを磁気ディスク１６ａ、１６ｂに対して移動自在に支持したヘッドアクチュエータ２２、ヘッドアクチュエータを回動および位置決めするボイスコイルモータ（以下ＶＣＭと称する）２４、磁気ヘッドが磁気ディスクの最外周に移動した際、磁気ヘッドを磁気ディスクから離間した退避位置に保持するランプロード機構２５、衝撃等に対してヘッドアクチュエータを退避位置にラッチするイナーシャラッチ機構２４、およびヘッドＩＣ等を有する基板ユニット２１が収納されている。
【００２３】
また、ケース１２の底壁外面には、基板ユニット２１を介してスピンドルモータ１８、ＶＣＭ２４、および磁気ヘッドの動作を制御する図示しないプリント回路基板がねじ止めされている。
【００２４】
各磁気ディスク１６ａ、１６ｂは、直径６５ｍｍ（２．５インチ）に形成され、上面および下面に磁気記録層を有している。そして、２枚の磁気ディスク１６ａ、１６ｂは、スピンドルモータ１８の図示しないハブの外周に嵌合されているとともに、クランプばね１７によって固定保持されている。これにより、２枚の磁気ディスク１６ａ、１６ｂは所定の隙間を置いて互いに同軸的に積層配置されている。そして、スピンドルモータ１８を駆動することにより、２枚の磁気ディスク１６ａ、１６ｂは一体的に所定の速度で回転される。
【００２５】
図１および図２に示すように、ヘッドアクチュエータ２２は、ケース１２の底壁上に固定された軸受組立体２６を備えている。軸受組立体２６は、ケース１２の底壁に対して垂直に立設された枢軸２７と、枢軸に一対の軸受を介して回転自在に支持された円筒形状のハブ２８と、を有している。また、ヘッドアクチュエータ２２は、ハブ２８に取り付けられた４本のアーム３２および複数のスペーサリングと、各アームに支持された磁気ヘッド組立体３６と、を備えている。
【００２６】
アーム３２は、基端部の透孔に軸受組立体２６のハブ２８を挿通することにより、積層された状態でハブの外周に嵌合されている。これにより、４本のアーム３２は、所定の間隔を置いて互いに平行に位置しているとともにハブ２８から同一の方向へ延出している。
【００２７】
図２ないし図５に示すように、各磁気ヘッド組立体３６は、弾性変形可能な細長い板状のサスペンション３８と、サスペンションの先端に固定された磁気ヘッド４０と、を備えている。サスペンション３８は、板ばねにより構成され、その基端がスポット溶接あるいは接着によりアーム３２の先端に固定され、アームから延出している。なお、各サスペンション３８は対応するアーム３２と一体に形成されていてもよい。
【００２８】
各磁気ヘッド４０は、ほぼ矩形状のスライダとこのスライダに形成された記録再生用のＭＲ（磁気抵抗）ヘッドとを有し、サスペンション３８の先端部に設けられたジンバルばね４１に固定されている。また、各磁気ヘッド４０は、サスペンション３８に形成されたディンプル４２を介して磁気ディスク側に押し付ける荷重が付加されている。
【００２９】
一方、図１に示すように、ヘッドアクチュエータ２２は、軸受組立体２６からアーム３２と反対の方向へ延出した支持枠４４を有し、この支持枠により、ＶＣＭ２４の一部を構成するボイスコイル４５が支持されている。支持枠４４は、合成樹脂によりボイスコイル４５の外周に一体的に成形されている。また、支持枠４４には、イナーシャラッチ機構２４のラッチ爪５０と係合する凹所５１が形成されている。
【００３０】
図１および図５に示すように、上記のように構成されたヘッドアクチュエータ２２をケース１２に組み込んだ状態において、各磁気ディスク１６ａ、１６ｂは２本のアーム３２間に位置している。そして、４つのサスペンション３８に取り付けられた４つの磁気ヘッド４０は、各磁気ディスク１６ａ、１６ｂの上面および下面にそれぞれ対向し、磁気ディスクを両面側から挟持している。また、２枚の磁気ディスク１６ａ、１６ｂ間に位置した２つの磁気ヘッドは、背面側が対向した状態で配置されている。各磁気ヘッド４０は、サスペンション３８のばね力によりディンプル４２を介して磁気ディスク表面に向かって所定のヘッド荷重が印加されている。
【００３１】
また、図１に示すように、ヘッドアクチュエータ２２の支持枠４４に固定されたボイスコイル４５は、ケース１２上に固定された一対のヨーク４８間に位置し、これらのヨーク、および一方のヨークに固定された磁石４６とともにＶＣＭ２４を構成している。そして、ボイスコイル４５に通電することにより、ヘッドアクチュエータ２２が回動し、磁気ヘッド４０は磁気ディスク１６の所望のトラック上に移動および位置決めされる。
【００３２】
図１ないし図５に示すように、ランプロード機構２５は、ケース１２の底壁に設けられているとともに磁気ディスク１６の外側に配置されたランプ６０と、各サスペンション３８の先端から延出したタブ５２と、を備えている。ヘッドアクチュエータ２２が、磁気ディスク１６ａ、１６ｂの外側の退避位置まで回動する際、各タブ５２は、ランプ６０に形成された後述のランプ面と係合し、その後、ランプ面の傾斜によって引き上げられ、磁気ヘッドのアンロード動作を行う。
【００３３】
そして、複数のタブ５２の内、隣合う２枚の磁気ディスク１６ａ、１６ｂ間に位置した２つサスペンション３８に設けられたタブ５２は、上下関係が入替わるように形成され、これに合わせて、ランプ７０のガイド面も上下を入替えて配置されている。
【００３４】
詳細に述べると、各タブ５２は、サスペンション先端の中心軸線Ｃからずれた位置から、このサスペンションに対応する磁気ディスク表面から離間する方向に延出した後、折れ曲がり、その先端部は、磁気ディスク表面とほぼ平行に延びているとともにサスペンションの中心軸線Ｃと整列して位置している。この先端部は、後述するランプのガイド面に係合する当接部５３を構成している。
【００３５】
ここで、隣合う２枚の磁気ディスク１６ａ、１６ｂ間に位置した２つ磁気ヘッド組立体３６の内、上側の磁気ディスク１６ａ（第１磁気ディスク）の下面に対して情報処理を行う磁気ヘッド組立体を上側磁気ヘッド組立体３６ｕ、下側の磁気ディスク１６ｂ（第２磁気ディスク）の上面に対して情報処理を行う磁気ヘッド組立体を下側磁気ヘッド組立体３６ｄとして、上側磁気ヘッド組立体３６ｕの構成部材およびタブには参照符号にｕを付けて示すとともに、下側磁気ヘッド組立体３６ｄの構成部材およびタブには参照符号にｄを付けて区別するものとする。
【００３６】
図４および図５に示すように、上側磁気ヘッド組立体３６ｕに設けられた上側タブ５２ｕ（第１係合部材）は、下側の磁気ディスク１６ｂ上面に向って延出し、また、下側磁気ヘッド組立体３６ｄに設けられた下側タブ５２ｄ（第２係合部材）は、上側の磁気ディスク１６ａ下面に向って延出している。そして、これら上側および下側タブ５２ｕ、５２ｄは互いに干渉することなく延出し、その先端部に設けられた当接部５３ｕ、５３ｄ（第１、第２当接部）は、上下が入替わった状態で互いに対向しているとともに、それぞれサスペンション３８の中心軸線Ｃと整列している。
【００３７】
図５および図６に示すように、ランプ６０は、ＨＤＤの非作動時、磁気ヘッド４０が磁気ディスク１６ａ、１６ｂの外周から外れて所定の退避位置に移動する間、ヘッドアクチュエータ２２の４つのサスペンション３８に設けられたタブ５２をそれぞれガイドする４つのガイド面６２ａ、６２ｄ、６２ｕ、６２ｂを有している。
【００３８】
これらのガイド面６２ａ、６２ｄ、６２ｕ、６２ｂは、磁気ディスク１６ａ、１６ｂの軸方向に沿って所定の間隔をおいて並び、それぞれ対応するサスペンション３８のタブ５２の高さに合わせて配置されている。また、各ガイド面６２ａ、６２ｄ、６２ｕ、６２ｂは、磁気ディスク１６ａ、１６ｂのほぼ半径方向に沿って延びているとともに、サスペンション３８に設けられたタブ５２の移動経路上に配置されている。更に、各ガイド面６２ａ、６２ｄ、６２ｕ、６２ｂの先端部分は、磁気ディスク１６ａ、１６ｂ表面外周縁部と重なって位置している。
【００３９】
そして、最上部のサスペンション３８に対応するガイド面６２ａは、上方を向いて形成され、最下部のサスペンション３８に対応するガイド面６２ｂは、下方を向いて形成されている。また、上側磁気ヘッド組立体３６ｕの上側タブ５２ｕに対応するガイド面６２ｕ（第１ガイド）、および下側磁気ヘッド組立体３６ｄの下側タブ５２ｄに対応するガイド面６２ｄ（第２ガイド）は、２枚の磁気ディスク１６ａ、１６ｂ間と対向して位置し、かつ、上下が入替わって設けられている。すなわち、上側タブ５２ｕに対応するガイド面６２ｕは、下側タブ５２ｄに対応するガイド面６２ｄの下方に位置し、下側磁気ディスク１６ｂの上面に隣接している。逆に、下側タブ５２ｄ用のガイド面６２ｄは、上側タブ５２ｕ用のガイド面６２ｕの上方に位置し、上側磁気ディスク１６ａの下面に隣接している。
【００４０】
各ガイド面６２ａ、６２ｄ、６２ｕ、６２ｂは、磁気ディスク１６ａ、１６ｂに向って傾斜し磁気ヘッド４０を磁気ディスク上にロード、アンロードするための傾斜面６４と、傾斜面に続いて磁気ディスク表面と平行に延びる平坦部６５と、平坦部に設けられ磁気ヘッドが後述する退避位置まで移動した際にタブ５２が落込む凹所６６と、を有している。
【００４１】
なお、図６に示すように、ランプ６０はガイド面６２ａ、６２ｄ、６２ｕ、６２ｂを連結しているベース部７０を備え、このベース部７０の内、磁気ディスク１６ａ、１６ｂの外周縁部と隣接対向する部分には、面取りもしくはＲ加工等の突出部７２が設けられている。これらの突出部７２を設けることにより、ＨＤＤに衝撃等が作用して磁気ディスク１６ａ、１６ｂが振動した場合でも、磁気ディスクとランプ６０との接触箇所を磁気ディスクの外周縁部と突出部７２とに限定し、磁気ディスクの情報記録面およびランプ面の損傷を防止することができる。
【００４２】
上記のように構成されたＨＤＤによれば、図１に示すように、通常の動作時、ＶＣＭ２４によってヘッドアクチュエータ２２を回動することにより、磁気ヘッド４０は磁気ディスク１６ａ、１６ｂの所望のトラック上に移動され、磁気ディスクに対して情報の記録あるいは再生を行う。
【００４３】
また、図７に示すように、ＨＤＤの非動作状態に移行する時、ＶＣＭ２４によってヘッドアクチュエータ２２が実線で示す退避位置に向かって回動されると、複数の磁気ヘッド４０は磁気ディスク１６ａ、１６ｂの内周側から最外周に向かって移動する。そして、磁気ヘッド４０が磁気ディスク１６ａ、１６ｂの外周縁近傍まで移動すると、図８および図９に示すように、各サスペンション３８から延出したタブ５２の当接部５３、５３ｕ、５３ｄが、それぞれランプ６０の対応するガイド面６２ａ、６２ｄ、６２ｕ、６２ｂ上に乗り上げる。
【００４４】
この際、各タブ５２の当接部５３、５３ｕ、５３ｄは、対応するガイド面の傾斜面６４に沿って磁気ディスク１６ａ、１６ｂ表面から離間する方向に移動し、平坦部６５上に乗り上げる。そして、各当接部はガイド面の平坦部６５上を摺動し、ヘッドアクチュエータ２２が退避位置に到達した時点でガイド面の凹所６６に落込み停止する。
【００４５】
なお、ＨＤＤを再び作動状態とする場合、磁気ディスク１６ａ、１６ｂが回転した状態でヘッドアクチュエータ２２が退避位置から磁気ディスクの内周側に向かって回動される。すると、各サスペンション３８のタブ５２は、それぞれガイド面の凹所６６から平坦部６５上へ移動し、更に、傾斜面６４を滑り降りる。これに応じて、各磁気ヘッド４０も移動し、磁気ディスク１６ａ、１６ｂ表面上にロードされる。
【００４６】
以上のように構成されたＨＤＤによれば、非動作時、ランプロード機構２５により、磁気ヘッド４０を磁気ディスク１６から離間した位置に保持することができ、ＨＤＤに外部衝撃が作用した場合でも、磁気ヘッドの位置ずれ、磁気ヘッドと磁気ディスクとの衝突等を防止することができる。
【００４７】
また、上記ＨＤＤによれば、ランプロード機構２５において、複数のタブ５２の内、隣合う２枚の磁気ディスク１６ａ、１６ｂ間に位置した２つサスペンション３８に設けられたタブ５２ｕ、５２ｄは、上下関係が入替わるように形成され、これに合わせて、ランプ６０のガイド面６２ｕ、６２ｄも上下を入替えて配置されている。これにより、タブ５２ｕ、５２ｄの当接部５３ｕ、５３ｄは、磁気ディスク表面とランプガイド面６２ｕ、６２ｄとの隙間を通過することになり、図９に示すように、ガイド面６２ｕ、６２ｄ間の間隔ｙを低減することができる。その結果、ランプのガイド面６２ｄと磁気ディスク１６ａ表面との隙間、およびガイド面６２ｕと磁気ディスク１６ｂ表面との隙間を大きくとることが可能となる。
【００４８】
従って、磁気ディスクの実装枚数を増大させた場合でも、ランプと磁気ディスク表面との隙間を充分に確保し、組立時および衝撃作用時におけるランプと磁気ディスクとの接触を防止し、信頼性の向上を図ることができる。
【００４９】
また、本実施の形態によれば、ランプのガイド面に係合する各タブの当接部５３は、対応するサスペンション３８の中心軸線Ｃ上に配置されているため、ロード／アンロード時におけるサスペンションのロールを防止し、磁気ディスク表面に対する磁気ヘッドの衝突を防止することができる。
【００５０】
上述した実施の形態において、各サスペンションの先端から延出したタブは、その当接部がサスペンションの中心軸線上に位置するように形成されているが、図１０および図１１に示すように、各タブ５２の当接部５３は中心軸線Ｃに対して中心軸線から直交する方向へずれて位置したままとしてもよい。特に、隣合う２枚の磁気ディスク間に位置した上側磁気ヘッド組立体３６ｕおよび下側磁気ヘッド組立体３６ｄのサスペンション３８から延出した上側タブ５２ｕおよび下側タブ５２ｄは、中心軸線Ｃの両側に別れて位置している。そして、当接部５３ｕ、５３ｄは、中心軸線Ｃと直交する方向に沿って、つまり、磁気ヘッド４０の移動方向に沿って距離Δｘだけ離間している。
【００５１】
上記構成によれば、タブ５２ｕ、５２ｂは、磁気ヘッド４０の移動方向に沿って互いにずれて設けられているため、互いに干渉することなく円滑に動作することができる。また、各タブの形状がシンプルとなり、製造性の向上が図れる。
【００５２】
また、各タブ５２はサスペンション３８の中心軸線Ｃからずれて位置しているため、ロード／アンロード時のランプからの反力がサスペンションの中心軸線Ｃとはずれた位置に作用するため、サスペンションおよび磁気ヘッド４０がロールすることになる。しかしながら、上側タブ５２ｕおよび下側タブ５２ｄを互いに干渉しない最小限の範囲でサスペンションの中心軸線Ｃの近傍に配置することにより、磁気ヘッド４０のロールによるロード／アンロード時の損傷を許容範囲内に収めることができる。
【００５３】
また、第２の実施の形態において、上側タブ５２ｕと下側タブ５２ｄとが磁気ヘッド４０の移動方向にΔｘだけずれているため、前述した第１の実施の形態と同一のランプ６０を用いたのでは、ガイド面とタブ当接部との接触タイミングがずれ、上側磁気ヘッドと下側磁気ヘッドとをロード／アンロードするタイミングもずれてしまう。この場合、先に引き上げられる磁気ヘッドに対応する磁気ディスクの情報記録領域を磁気ディスク外周縁部まで十分に利用することができなくなり、情報記録領域に無駄が生じてしまう。
【００５４】
そこで、第２の実施の形態によれば、ランプ６０の形状を工夫して上側磁気ヘッドと下側磁気ヘッドとでロード／アンロードするタイミングを一致させている。すなわち、図１２に示すように、上側タブ５２ｕに対応するランプ６０のガイド面６２ｕと、下側タブ５２ｄに対応するガイド面６２ｄとは、磁気ヘッド４０の移動方向に所定距離だけずらして形成されている。そして、そのずれ量Δｘは、上側タブ５２ｕおよび下側タブ５２ｄ間の距離Δｘに一致している。
【００５５】
従って、上側および下側磁気ヘッドのロード／アンロードのタイミングを一致させることができる。これにより、各磁気ディスクの最外周部分まで情報記録領域を有効に利用することができる。
【００５６】
その他の構成は前述した第１の実施の形態と同一であり、同一の部分には同一の参照符号を付してその詳細な説明を省略する。そして、第２の実施の形態においても、第１の実施の形態と同様の作用効果を得ることができる。
【００５７】
図１３ないし図１７はこの発明の第３の実施の形態を示している。本実施の形態では、ランプ６０のガイド面側の傾斜面をなくし、代わりに各タブを傾斜させて傾斜部を構成し、ヘッドアクチュエータの回動に伴って、ガイド面とタブとの接触位置をヘッドアクチュエータの回転半径方向に変化させることにより、磁気ヘッドのロード／アンロードを行っている。
【００５８】
すなわち、図１３ないし図１５に示すように、隣合う２枚の磁気ディスク間に位置した上側磁気ヘッド組立体３６ｕおよび下側磁気ヘッド組立体３６ｄのサスペンション３８から延出した上側タブ５２ｕおよび下側タブ５２ｄは、中心軸線Ｃの両側に別れて位置している。そして、これらのタブ５２ｕ、５２ｄは、中心軸線Ｃと直交する方向に沿って、つまり、磁気ヘッド４０の移動方向に沿って距離Δｘだけ離間している。また、上側タブ５２ｕは、下側の磁気ディスク１６ｂに向って斜めに延出しているとともに、下側タブ５２ｄは、上側の磁気ディスク１６ａに向って斜めに延出している。これにより、上側タブ５２ｕの接触部５２ｕと下側タブ５２ｄの接触部５３ｄとは上下が入替わって延びている。同様に、他のタブ５２も、対応する磁気ディスク表面から離間する方向へ斜めに延出している。
【００５９】
これに対して、図１５ないし図１７に示すように、ランプ６０のガイド面６２ａ、６２ｄ、６２ｕ、６２ｂは、それぞれ磁気ディスクの表面と平行な平坦面として形成されている。そして、各タブ５２、５２ｕ、５２ｄの当接部５３、５３ｕ、５３ｄは、それぞれ対応するガイド面のエッジ６３ａ、６３ｕ、６３ｄ、６３ｂに当接しガイドされる。
【００６０】
ガイド面のエッジ６３ａ、６３ｕ、６３ｄ、６３ｂは、ヘッドアクチュエータ２２の回転中心との距離が、ヘッドアクチュエータの回動に伴って磁気ヘッドが図１６中ＡからＢまで移動する間に、所定距離ｚだけヘッドアクチュエータの回転中心側へ変化する形状となっている。そのため、各タブの当接部と対応するガイド面のエッジとの接触位置は、各タブの根元側に移動していくことになる。そして、各ガイド面が平坦であることから、各当接部とガイド面エッジとの接触高さは変わらないが、図１６、図１８に示すように、ヘッドアクチュエータ２２が磁気ディスク外周部から退避位置に向って回動すると、タブ側の傾斜によってサスペンション３８および磁気ヘッド４０が引き上げられていくことになる。
【００６１】
また、前述したように、２枚の磁気ディスク間に位置した上側磁気ヘッド組立体３６ｕおよび下側磁気ヘッド組立体３６ｄのサスペンション３８から延出した上側タブ５２ｕおよび下側タブ５２ｄは、相互の干渉を防止するため、磁気ヘッド４０の移動方向に沿って距離Δｘだけ離間して設けられている。そのため、タブの当接部とガイド面のエッジとの接触タイミングがずれ、上側磁気ヘッドと下側磁気ヘッドとをロード／アンロードするタイミングもずれてしまう。この場合、先に引き上げられる磁気ヘッドに対応した磁気ディスクの情報記録領域を磁気ディスク外周縁部まで十分に利用することができなくなり、無駄が生じてしまう。
【００６２】
そこで、第２の実施の形態と同様に、上側タブ５２ｕの当接部５３ｕに対応するランプ６０のガイド面６２ｕと、下側タブ５２ｄの当接部５３ｄに対応するガイド面６２ｄとは、磁気ヘッド４０の移動方向に所定距離だけずらして形成されている。そして、そのずれ量Δｘは、上側タブ５２ｕおよび下側タブ５２ｄ間の距離Δｘに一致している。
【００６３】
従って、上側タブ５２ｕの当接部５３ｕおよび下側タブ５２ｄの当接部５３ｄは、それぞれガイド面６２ｕ、６２ｄのエッジ６３ｕ、６３ｄに同時に接触し、上側および下側磁気ヘッドのロード／アンロードのタイミングを一致させることができる。これにより、各磁気ディスクの最外周部分まで情報記録領域を有効に利用することができる。
【００６４】
その他の構成は前述した第１の実施の形態と同一であり、同一の部分には同一の参照符号を付してその詳細な説明を省略する。そして、第３の実施の形態においても、第１の実施の形態と同様の作用効果を得ることができる。また、本実施の形態によれば、ランプ６０のガイド面は平坦に形成されているため、傾斜面を除いた分だけ、磁気ディスク軸方向のスペースを確保することができ、ランプのガイド面と磁気ディスクとの隙間を更に大きくとることが可能となる。従って、ランプ６０と磁気ディスクとの接触を防止して信頼性の一層の向上をはかることができる。
【００６５】
なお、この発明は上述した実施の形態に限定されることなく、この発明の範囲内で種々変形可能である。例えば、磁気ディスクの枚数、これに対応する磁気ヘッドの数、アームの数等は、必要に応じて増減可能であり、磁気ヘッドの増減に応じて、ランプロード機構のランプにおけるガイド面数を増減すればよい。そして、磁気ディスクが１枚の場合においても、本願を適用することにより、ランプと磁気ディスク表面との隙間を拡大することでき、上記と同様の作用効果を得ることができる。
【００６６】
【発明の効果】
以上詳述したように、この発明によれば、非作動時、磁気ヘッドを所定の退避位置に確実に保持できるとともに、高密度実装性を損なうことなく、ランプと磁気ディスク表面との隙間を広げ、組立時および衝撃作用時におけるランプと磁気ディスクとの接触を防止し、信頼性の向上した磁気ディスク装置を提供することができる。
【図面の簡単な説明】
【図１】この発明の実施の形態に係るＨＤＤを示す斜視図。
【図２】上記ＨＤＤにおけるヘッドアクチュエータとランプとの位置関係を示す平面図。
【図３】上記ヘッドアクチュエータのサスペンション先端部およびランプロード機構のタブを示す平面図。
【図４】上記ヘッドアクチュエータのサスペンション先端部およびランプロード機構のタブを示す斜視図。
【図５】ロード状態における上記ヘッドアクチュエータのサスペンション先端部およびランプロード機構を示す断面図。
【図６】上記ランプロード機構のランプと磁気ディスクとの配置関係を示す側面図。
【図７】上記ヘッドアクチュエータが退避位置に移動した状態における上記ＨＤＤの平面図。
【図８】上記ヘッドアクチュエータが退避位置に移動した状態におけるタブとランプとの位置関係を示す断面図。
【図９】ランプのガイド面に対するタブの移動動作を概略的に示す図。
【図１０】この発明の第２の実施の形態に係るＨＤＤにおけるヘッドアクチュエータのサスペンション先端部およびランプロード機構のタブを示す平面図。
【図１１】上記第２の実施の形態において、上記ヘッドアクチュエータのサスペンション先端部およびランプロード機構のタブを示す斜視図。
【図１２】上記第２の実施の形態において、ランプのガイド面に対するタブの移動動作を概略的に示す図。
【図１３】この発明の第３の実施の形態に係るＨＤＤにおけるヘッドアクチュエータのサスペンション先端部およびランプロード機構のタブを示す平面図。
【図１４】上記第３の実施の形態において、上記ヘッドアクチュエータのサスペンション先端部およびランプロード機構のタブを示す斜視図。
【図１５】上記第３の実施の形態に係るＨＤＤにおいて、ヘッドアクチュエータとランプとの位置関係を示す断面図。
【図１６】上記第３の実施の形態に係るＨＤＤにおいて、ヘッドアクチュエータとランプとの位置関係を示す平面図。
【図１７】上記第３の実施の形態におけるランプロード機構のランプを示す斜視図。
【図１８】上記第３の実施の形態において、上記ヘッドアクチュエータが退避位置に移動した状態におけるタブとランプとの位置関係を示す断面図。
【符号の説明】
１２…ケース
１６ａ、１６ｂ…磁気ディスク
１８…スピンドルモータ
２２…ヘッドアクチュエータ
２４…ボイスコイルモータ
２５…ランプロード機構
２６…軸受組立体
３２…アーム
３８…サスペンション
４０…磁気ヘッド
４１…ジンバルばね
５２…タブ
５２ｕ…上側タブ
５２ｄ…下側タブ
５３…当接部
６０…ランプ
６２ａ、６２ｕ、６２ｄ、６２ｂ…ガイド面
６３ａ、６３ｕ、６３ｄ、６３ｂ…エッジ
【図１】
0003808664.tif 000002
【図２】
0003808664.tif 000003
【図３】
0003808664.tif 000004
【図４】
0003808664.tif 000005
【図５】
0003808664.tif 000006
【図６】
0003808664.tif 000007
【図７】
0003808664.tif 000008
【図８】
0003808664.tif 000009
【図９】
0003808664.tif 000010
【図１０】
0003808664.tif 000011
【図１１】
0003808664.tif 000012
【図１２】
0003808664.tif 000013
【図１３】
0003808664.tif 000014
【図１４】
0003808664.tif 000015
【図１５】
0003808664.tif 000016
【図１６】
0003808664.tif 000017
【図１７】
0003808664.tif 000018
【図１８】
0003808664.tif 000019